(57)【要約】 【課題】本発明は、カーテンを留めるためのタッセルに関する発明である。【解決手段】本発明は、装飾と装飾背面に取り付けられ接続具を備えた取付台からなる装飾材と、隙間を施した湾曲部と外方に屈曲した摘みを形成し前記湾曲部と摘みの間に連結部を形成し前記接続具を取り付ける接続具を備え孔を穿設した前挟着部材本体からなる前挟着部材と隙間を施した湾曲部と外方に屈曲した摘みを形成し前記湾曲部と摘みの間に前挟着部材の連結部と連結する連結部を形成し孔を穿設した後挟着部材本体からなりリングバネにより前挟着部材と開閉可能に連結された後挟着部材からなる挟着部材とからなることを特徴とするタッセルと、連結凸部を備えた取付台からなる装飾材と連結孔を穿設した前挟着部材本体からなる前挟着部材とからなることを特徴とするタッセルの構成とした。【選択図】  図１
2007054122.tif 000002
【特許請求の範囲】
【請求項１】
接続具を備えた取付台からなる装飾材と、隙間を施した湾曲部と外方に屈曲した摘みを形成し前記湾曲部と摘みの間に連結部を形成し前記接続具を取り付ける接続具を備え孔を穿設した前挟着部材本体からなる前挟着部材と隙間を施した湾曲部と外方に屈曲した摘みを形成し前記湾曲部と摘みの間に前挟着部材の連結部と連結する連結部を形成し孔を穿設した後挟着部材本体からなりリングバネにより前挟着部材と開閉可能に連結された後挟着部材からなる挟着部材とからなることを特徴とするタッセル。
【請求項２】
連結凸部を備えた取付台と連結孔を穿設した前挟着部材本体からなる前挟着部材とからなることを特徴とする請求項１に記載のタッセル。
【発明の詳細な説明】
【技術分野】
【０００１】
本発明は、カーテンを留め、カーテンを美しく見せるためのタッセルに関する発明である。
【背景技術】
【０００２】
従来、カーテンを束ねて留めるには帯状のタッセルかピンを使用していた。
【特許文献１】特開平１１−２６７００８号公報
【０００３】
しかしながら、従来の帯状のタッセルやピンでは、カーテンを束ねて留めるだけで味気ないものであり、カーテンの留め方を変えて、窓に取り付けてあるカーテンを美しく見せ、雰囲気を変えることができなかった。
【発明の開示】
【発明が解決しようとする課題】
【０００４】
そこで、本発明は、カーテンを好きな状態で留めておくことにより、窓に取り付けてあるカーテンの状態を美しく見せて、窓際の雰囲気を変えることで、部屋全体の雰囲気を変えることができるタッセルを提供することを目的とするものである。
【課題を解決するための手段】
【０００５】
本発明は、上記の課題を解決するために、接続具２ｄを備えた取付台２ｃからなる装飾材２と、隙間４ｄを施した湾曲部４ｃと外方に屈曲した摘み４ｂを形成し前記湾曲部４ｃと摘み４ｂの間に連結部４ｊを形成し前記接続具２ｄを取り付ける接続具４ｆを備え孔４ｅを穿設した前挟着部材本体４ａからなる前挟着部材４と隙間５ｄを施した湾曲部５ｃと外方に屈曲した摘み５ｂを形成し前記湾曲部５ｃと摘み５ｂの間に前挟着部材４の連結部４ｊと連結する連結部５ｈを形成し孔５ｅを穿設した後挟着部材本体５ａからなり、リングバネ４ｇにより前挟着部材４と開閉可能に連結された後挟着部材５からなる挟着部材３とからなることを特徴とするタッセル１の構成及び連結凸部２ｅを備えた取付台２ｃからなる装飾材２と連結孔４ｋを穿設した前挟着部材本体４ａからなる前挟着部材４とからなることを特徴とするタッセル１ａの構成とした。
【発明の効果】
【０００６】
本発明のタッセルは装飾材を自由に変えることができるため、カーテンや部屋の雰囲気を容易に変えることができる。
【０００７】
また、本発明のタッセルは大きな挟着部材を備えているため、カーテンに弛みやウェーブを形成した状態で容易に維持することができる。
【発明を実施するための最良の形態】
【０００８】
本発明は、カーテンを好きな状態で留めておくことにより、窓に取り付けてあるカーテンの状態を美しく見せて、窓際の雰囲気を変えることで、部屋全体の雰囲気を変えることができるタッセルを提供するという目的を、接続具２ｄを備えた取付台２ｃからなる装飾材２と、隙間４ｄを施した湾曲部４ｃと外方に屈曲した摘み４ｂを形成し前記湾曲部４ｃと摘み４ｂの間に連結部４ｊを形成し前記接続具２ｄを取り付ける接続具４ｆを備え孔４ｅを穿設した前挟着部材本体４ａからなる前挟着部材４と隙間５ｄを施した湾曲部５ｃと外方に屈曲した摘み５ｂを形成し前記湾曲部５ｃと摘み５ｂの間に前挟着部材４の連結部４ｊと連結する連結部５ｈを形成し孔５ｅを穿設した後挟着部材本体５ａからなり、リングバネ４ｇにより前挟着部材４と開閉可能に連結された後挟着部材５からなる挟着部材３とからなることを特徴とするタッセル１の構成及び連結凸部２ｅを備えた取付台２ｃからなる装飾材２と連結孔４ｋを穿設した前挟着部材本体４ａからなる前挟着部材４とからなることを特徴とするタッセル１ａの構成とすることで実現した。
【実施例１】
【０００９】
図１は本発明であるタッセルの正面図、図２はタッセルの背面図、図３はタッセルの装飾材の背面図、図４はタッセルの挟着部材の正面図、図５はタッセルの挟着部材の平面図である。図１及び図２に示すように、本発明であるタッセル１は、装飾材２と、装飾材２を取り付ける前挟着部材４と後挟着部材５からなる挟着部材３とからなる。
【００１０】
図１及び図３に示すように、装飾材２は装飾２ａ、２ｂと、装飾２ａ、２ｂの背面に取り付けられ中央に接続具２ｄを備えた取付台２ｃからなる。タッセル１では装飾材２を花の形をしたため、装飾２ａは花そのものを形成し、装飾２ｂは葉を形成している。装飾２ａ、２ｂについては特に花の形状に限定したものではない。
【００１１】
図２及び図４、図５に示すように、挟着部材３は前挟着部材４と後挟着部材５からなる。前挟着部材４は、略Ｓ字状に湾曲した前挟着部材本体４ａと接続具４ｆとからなり、前挟着部材本体４ａの先端から中程にかけて隙間４ｄが設けられ、前挟着部材本体４ａの隙間４ｄが設けられている箇所は湾曲部４ｃとなって内側に向かって大きく湾曲している。
【００１２】
前挟着部材本体４ａは先端部４ｉから連結部４ｊにかけて大きく湾曲し、連結部４ｊから後端にかけて外方に向かって屈曲している。前挟着部材本体４ａのうち、外方に屈曲した後端部分を特に摘み４ｂとし、更に摘み４ｂの後端には滑り止め４ｈが施されている。先端部４ｉは平坦になっており少し幅が広くなっている。
【００１３】
前挟着部材本体４ａの接続具４ｆと摘み４ｂの中間には孔４ｅが穿設されており、リングバネ４ｇが挿通されている。尚、リングバネ４ｇの一端は前挟着部材本体４ａの接続具４ｆと孔４ｅの中間に連結されている。
【００１４】
後挟着部材５は、略Ｓ字状に湾曲した後挟着部材本体５ａからなり、後挟着部材本体５ａの先端から中程にかけて隙間５ｄが設けられ、後挟着部材本体５ａの隙間５ｄが設けられている箇所は湾曲部５ｃとなって内側に向かって大きく湾曲している。
【００１５】
後挟着部材本体５ａは先端部５ｇから連結部５ｈにかけて大きく湾曲し、連結部５ｈから後端にかけて外方に向かって屈曲している。後挟着部材本体５ａのうち、外方に屈曲した後端部分を特に摘み５ｂとし、更に摘み５ｂの後端には滑り止め５ｆが施されている。先端部５ｇは平坦になっており少し幅が広くなっている。
【００１６】
後挟着部材本体５ａにも前挟着部材本体４ａに対応する位置に孔５ｅが穿設されており、リングバネ４ｇが挿通されている。尚、リングバネ４ｇの他端は後挟着部材本体５ａに連結されている。以上のように前後挟着部材４、５はほぼ同形同大で、連結部４ｊ、５ｈを介して回動可能に連結されている。
【００１７】
連結部４ｊ、５ｈを介して回動可能に連結されている前後挟着部材４、５は、更にリングバネ４ｇによっても連結されており、通常の状態ではリングバネ４ｇの戻る力に押されて先端部４ｉ、５ｇ同士が接触している。
【００１８】
摘み４ｂ、５ｂを摘んで近づけることで連結部４ｊ、５ｈより先端部分は開き、先端部４ｉ、５ｇは離れる。当然摘み４ｂ、５ｂを摘んで近づけることをやめるとリングバネ４ｇの戻る力により前後挟着部材４、５の先端側は押し戻され、先端部４ｉ、５ｇは接触する。
【００１９】
図６は本発明であるタッセルの使用状態を表した図である。図６に示したように、本発明のタッセル１は挟着部材３が大きいため、部屋の窓７、７ａに掛けてある長めのカーテン６、６ａでも余裕を持って留めることができ、更に挟着部材３の保持力が強いためカーテン６、６ａにウェーブなどを作った状態で保持できる。
【実施例２】
【００２０】
図７は本発明であるタッセルの第２実施例の正面図、図８はタッセルの第２実施例の装飾材の背面図、図９はタッセルの第２実施例の挟着部材の正面図である。図７から図９に示すように、本発明であるタッセル１ａは前述の実施例１のタッセル１とほぼ同じ形状及び構造をしている。
【００２１】
タッセル１ａは装飾材２と装飾材２を取り付ける挟着部材３とからなり、挟着部材３は前後挟着部材本体４、５からなる。装飾材２は装飾２ａ、２ｂと、装飾２ａ、２ｂの背面に取り付けられた取付台２ｃからなり、取付台２ｃには４つの連結凸部２ｅが設けられている。尚、図８上では、装飾２ａ、２ｂは花及び葉としたが、これらに限定したものではない。
【００２２】
図９に示すように、前挟着部材４は略Ｓ字状の前挟着部材本体４ａからなり、前挟着部材本体４ａの中央付近から先端にかけて大きく湾曲した湾曲部４ｃとなっており、また、湾曲部４ｃ部分には大きな隙間４ｄが設けられている。
【００２３】
前挟着部材本体４ａの後端部付近には孔４ｅが穿設されており、孔４ｅにはリングバネ４ｇが挿通されると同時にリングバネ４ｇの一端は前挟着部材本体４ａに連結されている。前挟着部材本体４ａは孔４ｅの中央部付近から後端にかけて外側に向かって屈曲しており、この屈曲した部分を特に摘み４ｂとした。
【００２４】
摘み４ｂの後端部には滑り止め４ｈが設けられており、また、前挟着部材本体４ａの隙間４ｄと孔４ｅの間には４つの連結孔４ｋが穿設されている。尚、連結孔４ｋの径及び配置間隔は取付台２ｃの連結凸部２ｅを嵌め込むことができる径であり、かつ配置間隔は同じである。
【００２５】
図１０は本発明であるタッセルの第２実施例の使用状態を示した図である。図１０に示すように、従来下げ位置を変えるくらいであった縦かけ用カーテン６ｂであっても、本発明のタッセル１、１ａを使用することで、窓７ｂの下側から中央だけを上げてカーテン６ｂにウェーブを設けた状態で容易に留めることができる。
【００２６】
以上のように、本発明のタッセル１、１ａは挟着部材３を大きく設け、更に保持力を強力にしたため、カーテンを色々な状態で保持することができ、部屋の雰囲気や用途に応じてカーテンの留め方を変えることが出来る。カーテンの留め方は使用者の発想により無限である。
【図面の簡単な説明】
【００２７】
【図１】本発明であるタッセルの正面図である。
【図２】本発明であるタッセルの背面図である。
【図３】本発明であるタッセルの装飾材の背面図である。
【図４】本発明であるタッセルの挟着部材の正面図である。
【図５】本発明であるタッセルの挟着部材の平面図である。
【図６】本発明であるタッセルの使用状態を表した図である。
【図７】本発明であるタッセルの第２実施例の正面図である。
【図８】本発明であるタッセルの第２実施例の装飾材の背面図である。
【図９】本発明であるタッセルの第２実施例の挟着部材の正面図である。
【図１０】本発明であるタッセルの第２実施例の使用状態を示した図である。
【符号の説明】
【００２８】
１      タッセル
１ａ    タッセル
２      装飾材
２ａ    装飾
２ｂ    装飾
２ｃ    取付台
２ｄ    接続具
２ｅ    連結凸部
３      挟着部材
４      前挟着部材
４ａ    前挟着部材本体
４ｂ    摘み
４ｃ    湾曲部
４ｄ    隙間
４ｅ    孔
４ｆ    接続具
４ｇ    リングバネ
４ｈ    滑り止め
４ｉ    先端部
４ｊ    連結部
４ｋ    連結孔
５      後挟着部材
５ａ    後挟着部材本体
５ｂ    摘み
５ｃ    湾曲部
５ｄ    隙間
５ｅ    孔
５ｆ    滑り止め
５ｇ    先端部
５ｈ    連結部
６      カーテン
６ａ    カーテン
６ｂ    カーテン
７      窓
７ａ    窓
７ｂ    窓
【図１】
2007054122.tif 000003
【図２】
2007054122.tif 000004
【図３】
2007054122.tif 000005
【図４】
2007054122.tif 000006
【図５】
2007054122.tif 000007
【図６】
2007054122.tif 000008
【図７】
2007054122.tif 000009
【図８】
2007054122.tif 000010
【図９】
2007054122.tif 000011
【図１０】
2007054122.tif 000012